(57)【要約】【課題】測定環境の判断処理を簡素な構成で高速にできる超音波測定装置、超音波トランスデューサーデバイス及び超音波画像装置等を提供すること。【解決手段】超音波測定装置１００は、複数の超音波トランスデューサー素子を有する超音波トランスデューサーデバイス３１０と、超音波の送信処理を行う送信部１１０と、超音波エコーの受信処理を行う受信部１２０と、超音波測定の制御処理を行う処理部１３０とを含む。処理部１３０は、複数の超音波トランスデューサー素子のうちの超音波の測定環境の判断用に設けられた超音波トランスデューサー素子ＵＥＰについての受信信号に基づいて、測定環境の判断処理を行い、複数の超音波トランスデューサー素子のうちの被検体の超音波測定用に設けられた複数の超音波トランスデューサー素子ＵＥＸについての受信信号に基づいて、被検体の超音波測定処理を行う。【選択図】図５
2014188148.tif 000002
【特許請求の範囲】
【請求項１】
複数の超音波トランスデューサー素子を有する超音波トランスデューサーデバイスと、
前記超音波トランスデューサーデバイスに対して超音波の送信処理を行う送信部と、
前記超音波トランスデューサーデバイスが送信した超音波の超音波エコーの受信処理を行う受信部と、
前記受信部からの受信信号の処理及び前記送信部への出力信号の処理を含む制御処理を行う処理部とを含み、
前記処理部は、
前記複数の超音波トランスデューサー素子のうちの超音波の測定環境の判断用に設けられた超音波トランスデューサー素子についての受信信号に基づいて、前記測定環境の判断処理を行い、
前記複数の超音波トランスデューサー素子のうちの被検体の超音波測定用に設けられた複数の超音波トランスデューサー素子についての受信信号に基づいて、前記被検体の超音波測定処理を行うことを特徴とする超音波測定装置。
【請求項２】
請求項１において、
前記処理部は、
前記測定環境が適正であると判断した場合には、前記被検体の前記超音波測定処理を行うことを特徴とする超音波測定装置。
【請求項３】
請求項１又は２において、
前記複数の超音波トランスデューサー素子のうちの被検体の超音波測定用に設けられた複数の超音波トランスデューサー素子は、アレイ状に配置されることを特徴とする超音波測定装置。
【請求項４】
請求項１乃至３のいずれかにおいて、
前記処理部は、
前記測定環境の状態を報知する報知データを生成して出力することを特徴とする超音波測定装置。
【請求項５】
請求項１乃至４のいずれかにおいて、
前記処理部は、
前記測定環境として、前記超音波トランスデューサーデバイスと前記被検体との間の音響整合状態を判断することを特徴とする超音波測定装置。
【請求項６】
請求項５において、
前記処理部は、
前記音響整合状態が適正であるか否かを報知する前記報知データを生成して出力することを特徴とする超音波測定装置。
【請求項７】
請求項１乃至６のいずれかにおいて、
前記処理部は、
前記測定環境として、前記超音波トランスデューサーデバイスと前記被検体との間の距離情報を判断することを特徴とする超音波測定装置。
【請求項８】
請求項７において、
前記処理部は、
前記距離情報を報知する前記報知データを生成して出力することを特徴とする超音波測定装置。
【請求項９】
請求項１乃至８のいずれかにおいて、
前記処理部は、
前記測定環境として、前記超音波の測定環境の判断用に設けられた超音波トランスデューサー素子についての前記受信信号の振幅を判断することを特徴とする超音波測定装置。
【請求項１０】
請求項９において、
前記処理部は、
前記受信信号の振幅を所定の値と比較し、比較結果に基づいて前記受信信号の振幅が適正であるか否かを判断することを特徴とする超音波測定装置。
【請求項１１】
請求項９又は１０において、
前記処理部は、
前記受信信号の振幅が適正であるか否かを報知する前記報知データを生成して出力することを特徴とする超音波測定装置。
【請求項１２】
請求項１乃至１１のいずれかにおいて、
前記処理部は、
前記測定環境の変更を指示する前記報知データを生成して出力することを特徴とする超音波測定装置。
【請求項１３】
複数の超音波トランスデューサー素子を有する超音波トランスデューサーデバイスと、
前記超音波トランスデューサーデバイスに対し超音波の送信処理を行う送信部と、
前記超音波トランスデューサーデバイスが送信した超音波の超音波エコーの受信処理を行う受信部と、
前記受信部からの受信信号の処理及び前記送信部への出力信号の処理を含む制御処理を行う処理部とを含み、
前記処理部は、
前記複数の超音波トランスデューサー素子のうちの一部の超音波トランスデューサー素子についての受信信号に基づいて、超音波の測定環境の判断処理を行い、
前記複数の超音波トランスデューサー素子のうちの前記一部の超音波トランスデューサー素子よりも多い数の超音波トランスデューサー素子についての受信信号に基づいて、被検体の超音波測定処理を行うことを特徴とする超音波測定装置。
【請求項１４】
１又は複数の測定環境判断用の超音波トランスデューサー素子と、
複数の超音波測定用の超音波トランスデューサー素子とを含み、
前記１又は複数の測定環境判断用の超音波トランスデューサー素子は、超音波測定装置による測定環境の判断処理において測定環境判断用の超音波の送受信に用いられ、
前記複数の超音波測定用の超音波トランスデューサー素子は、前記超音波測定装置による被検体の超音波測定処理において超音波測定用の送受信に用いられることを特徴とする超音波トランスデューサーデバイス。
【請求項１５】
請求項１４において、
測定環境判断用の信号端子と、
前記１又は複数の測定環境判断用の超音波トランスデューサー素子と前記測定環境判断用の信号端子とを接続する測定環境判断用の信号配線と、
超音波測定用の信号端子と、
前記複数の超音波測定用の超音波トランスデューサー素子と前記超音波測定用の信号端子とを接続する超音波測定用の信号配線とを含むことを特徴とする超音波トランスデューサーデバイス。
【請求項１６】
請求項１４又は１５において、
複数の開口が配置された基板を含み、
前記１又は複数の測定環境判断用の超音波トランスデューサー素子及び前記複数の超音波測定用の超音波トランスデューサー素子の各素子は、前記複数の開口の各開口ごとに設けられ、
前記１又は複数の測定環境判断用の超音波トランスデューサー素子及び前記複数の超音波測定用の超音波トランスデューサー素子の各素子は、
前記開口を塞ぐ振動膜と、
前記振動膜の上に設けられる圧電素子部とを有し、
前記圧電素子部は、
前記振動膜の上に設けられる下部電極と、
前記下部電極の少なくとも一部を覆うように設けられる圧電体膜と、
前記圧電体膜の少なくとも一部を覆うように設けられる上部電極とを有することを特徴とする超音波トランスデューサーデバイス。
【請求項１７】
請求項１６において、
前記１又は複数の測定環境判断用の超音波トランスデューサー素子の共振周波数は、前記複数の超音波測定用の超音波トランスデューサー素子の共振周波数と異なることを特徴とする超音波トランスデューサーデバイス。
【請求項１８】
請求項１乃至１３のいずれかに記載の超音波測定装置と、
表示用画像データを表示する表示部とを含むことを特徴とする超音波画像装置。
【発明の詳細な説明】
【技術分野】
【０００１】
本発明は、超音波測定装置、超音波トランスデューサーデバイス及び超音波画像装置等に関する。
【背景技術】
【０００２】
対象物に向けて超音波を照射し、対象物内部における音響インピーダンスの異なる界面からの反射波を受信して対象物の画像を取得するための装置として、超音波画像装置がある。しかし、この装置に慣れていないユーザーにとっては、超音波プローブと被検体との密着状態（音響整合状態）などの測定環境が適正な状態であるか否かを判断することが難しいという問題がある。
【０００３】
この課題に対して例えば特許文献１には、超音波画像に対して画像処理を行って超音波プローブの配置状態を検出する手法が開示されている。
【先行技術文献】
【特許文献】
【０００４】
【特許文献１】特開２０１１−１０４１９４号公報
【発明の概要】
【発明が解決しようとする課題】
【０００５】
しかしながらこの手法では、超音波画像に対して画像処理を行うために装置が複雑になる、処理に時間がかかるなどの課題がある。
【０００６】
本発明の幾つかの態様によれば、測定環境の判断処理を簡素な構成で高速にできる超音波測定装置、超音波トランスデューサーデバイス及び超音波画像装置等を提供できる。
【課題を解決するための手段】
【０００７】
本発明の一態様は、複数の超音波トランスデューサー素子を有する超音波トランスデューサーデバイスと、前記超音波トランスデューサーデバイスに対して超音波の送信処理を行う送信部と、前記超音波トランスデューサーデバイスが送信した超音波の超音波エコーの受信処理を行う受信部と、前記受信部からの受信信号の処理及び前記送信部への出力信号の処理を含む制御処理を行う処理部とを含み、前記処理部は、前記複数の超音波トランスデューサー素子のうちの超音波の測定環境の判断用に設けられた超音波トランスデューサー素子についての受信信号に基づいて、前記測定環境の判断処理を行い、前記複数の超音波トランスデューサー素子のうちの被検体の超音波測定用に設けられた複数の超音波トランスデューサー素子についての受信信号に基づいて、前記被検体の超音波測定処理を行う超音波測定装置に関係する。
【０００８】
本発明の一態様によれば、処理部が複数の超音波トランスデューサー素子のうちの超音波の測定環境の判断用に設けられた超音波トランスデューサー素子についての受信信号に基づいて測定環境の判断処理を行うことができるから、簡素な構成で高速な判断処理を行うことができる。その結果、測定環境の判断処理を効率良く行うことなどが可能になる。
【０００９】
また本発明の一態様では、前記処理部は、前記測定環境が適正であると判断した場合には、前記被検体の前記超音波測定処理を行ってもよい。
【００１０】
このようにすれば、処理部は超音波測定処理に先立って測定環境の判断処理を行い、測定環境が適正であると判断した場合に、被検体の超音波測定処理を行うことができる。その結果、超音波測定装置の操作に慣れていないユーザーであっても、適正な測定環境の状態で超音波測定を行うことができる。
【００１１】
また本発明の一態様では、前記複数の超音波トランスデューサー素子のうちの被検体の超音波測定用に設けられた複数の超音波トランスデューサー素子は、アレイ状に配置されてもよい。
【００１２】
このようにすれば、被検体の超音波測定用に設けられた複数の超音波トランスデューサー素子を効率的に配置することができる。
【００１３】
また本発明の一態様では、前記処理部は、前記測定環境の状態を報知する報知データを生成して出力してもよい。
【００１４】
このようにすれば、ユーザーは測定環境の状態を認識することができる。
【００１５】
また本発明の一態様では、前記処理部は、前記測定環境として、前記超音波トランスデューサーデバイスと前記被検体との間の音響整合状態を判断してもよい。
【００１６】
このようにすれば、処理部は超音波測定処理に先立って音響整合状態の判断処理を行い、音響整合状態が適正であると判断した場合に、被検体の超音波測定処理を行うことができる。
【００１７】
また本発明の一態様では、前記処理部は、前記音響整合状態が適正であるか否かを報知する前記報知データを生成して出力してもよい。
【００１８】
このようにすれば、ユーザーは音響整合状態を認識することができる。
【００１９】
また本発明の一態様では、前記処理部は、前記測定環境として、前記超音波トランスデューサーデバイスと前記被検体との間の距離情報を判断してもよい。
【００２０】
このようにすれば、処理部は超音波測定処理に先立って距離情報の判断処理を行い、距離情報が適正であると判断した場合に、被検体の超音波測定処理を行うことができる。
【００２１】
また本発明の一態様では、前記処理部は、前記距離情報を報知する前記報知データを生成して出力してもよい。
【００２２】
このようにすれば、ユーザーは距離情報を認識することができる。
【００２３】
また本発明の一態様では、前記処理部は、前記測定環境として、前記超音波の測定環境の判断用に設けられた超音波トランスデューサー素子についての前記受信信号の振幅を判断してもよい。
【００２４】
このようにすれば、処理部は、超音波測定処理に先立って受信信号の振幅の判断処理を行い、受信信号の振幅が適正であると判断した場合に、被検体の超音波測定処理を行うことができる。
【００２５】
また本発明の一態様では、前記処理部は、前記受信信号の振幅を所定の値と比較し、比較結果に基づいて前記受信信号の振幅が適正であるか否かを判断してもよい。
【００２６】
このようにすれば、処理部は、受信信号の振幅が所定の値以上である場合に、受信信号の振幅が適正であると判断することができる。
【００２７】
また本発明の一態様では、前記処理部は、前記受信信号の振幅を報知する前記報知データを生成して出力してもよい。
【００２８】
このようにすれば、ユーザーは受信信号の振幅を認識することができる。
【００２９】
また本発明の一態様では、前記処理部は、前記測定環境の変更を指示する前記報知データを生成して出力してもよい。
【００３０】
このようにすれば、ユーザーは報知データに基づいて測定環境の変更を行って、測定環境の状態を適正にすることができる。
【００３１】
本発明の他の態様は、複数の超音波トランスデューサー素子を有する超音波トランスデューサーデバイスと、前記超音波トランスデューサーデバイスに対し超音波の送信処理を行う送信部と、前記超音波トランスデューサーデバイスが送信した超音波の超音波エコーの受信処理を行う受信部と、前記受信部からの受信信号の処理及び前記送信部への出力信号の処理を含む制御処理を行う処理部とを含み、前記処理部は、前記複数の超音波トランスデューサー素子のうちの一部の超音波トランスデューサー素子についての受信信号に基づいて、超音波の測定環境の判断処理を行い、前記複数の超音波トランスデューサー素子のうちの前記一部の超音波トランスデューサー素子よりも多い数の超音波トランスデューサー素子についての受信信号に基づいて、被検体の超音波測定処理を行う超音波測定装置に関係する。
【００３２】
本発明の他の態様によれば、処理部が複数の超音波トランスデューサー素子のうちの一部の超音波トランスデューサー素子についての受信信号に基づいて測定環境の判断処理を行うことができるから、簡素な構成で高速な判断処理を行うことができる。
【００３３】
本発明の他の態様は、１又は複数の測定環境判断用の超音波トランスデューサー素子と、複数の超音波測定用の超音波トランスデューサー素子とを含み、前記１又は複数の測定環境判断用の超音波トランスデューサー素子は、超音波測定装置による測定環境の判断処理において測定環境判断用の超音波の送受信に用いられ、前記複数の超音波測定用の超音波トランスデューサー素子は、前記超音波測定装置による被検体の超音波測定処理において超音波測定用の送受信に用いられる超音波トランスデューサーデバイスに関係する。
【００３４】
本発明の他の態様によれば、超音波測定装置が測定環境の判断処理を行う際に、１又は複数の測定環境判断用の超音波トランスデューサー素子についての受信信号に基づいて測定環境の判断処理を行うことができる。
【００３５】
また本発明の他の態様では、測定環境判断用の信号端子と、前記１又は複数の測定環境判断用の超音波トランスデューサー素子と前記測定環境判断用の信号端子とを接続する測定環境判断用の信号配線と、超音波測定用の信号端子と、前記複数の超音波測定用の超音波トランスデューサー素子と前記超音波測定用の信号端子とを接続する超音波測定用の信号配線とを含んでもよい。
【００３６】
このようにすれば、超音波測定装置は、測定環境の判断処理を行う際に、測定環境判断用の信号端子に対して送信信号を出力し、測定環境判断用の信号端子から受信信号を受け取ることができる。
【００３７】
また本発明の他の態様では、複数の開口が配置された基板を含み、前記１又は複数の測定環境判断用の超音波トランスデューサー素子及び前記複数の超音波測定用の超音波トランスデューサー素子の各素子は、前記複数の開口の各開口ごとに設けられ、前記１又は複数の測定環境判断用の超音波トランスデューサー素子及び前記複数の超音波測定用の超音波トランスデューサー素子の各素子は、前記開口を塞ぐ振動膜と、前記振動膜の上に設けられる圧電素子部とを有し、前記圧電素子部は、前記振動膜の上に設けられる下部電極と、前記下部電極の少なくとも一部を覆うように設けられる圧電体膜と、前記圧電体膜の少なくとも一部を覆うように設けられる上部電極とを有してもよい。
【００３８】
このようにすれば、各超音波トランスデューサー素子は、上部電極と下部電極との間に電圧が印加されることで振動膜が振動し、振動膜が振動することで超音波を出射することができる。
【００３９】
また本発明の他の態様では、前記１又は複数の測定環境判断用の超音波トランスデューサー素子の共振周波数は、前記複数の超音波測定用の超音波トランスデューサー素子の共振周波数と異なってもよい。
【００４０】
このようにすれば、測定環境判断用の超音波トランスデューサー素子の共振周波数を複数の超音波測定用の超音波トランスデューサー素子の共振周波数より低くすることができる。その結果、超音波が被検体内部のより深いところまで到達するから測定環境の判断処理を効果的に行うことなどが可能になる。
【００４１】
本発明の他の態様は、上記いずれかに記載の超音波測定装置と、表示用画像データを表示する表示部とを含む超音波画像装置に関係する。
【図面の簡単な説明】
【００４２】
【図１】図１（Ａ）、図１（Ｂ）は、超音波トランスデューサー素子の基本的な構成例。
【図２】超音波トランスデューサーデバイスの第１の構成例。
【図３】超音波トランスデューサーデバイスの第２の構成例。
【図４】超音波トランスデューサーデバイスの第３の構成例。
【図５】超音波測定装置及び超音波画像装置の基本的な構成例。
【図６】測定環境の判断処理及び超音波測定処理のフローチャートの一例。
【図７】音響整合状態の判断処理のフローチャートの一例。
【図８】図８（Ａ）、図８（Ｂ）、図８（Ｃ）は、音響整合状態の判断処理の第１の例。
【図９】図９（Ａ）、図９（Ｂ）、図９（Ｃ）は、音響整合状態の判断処理の第２の例。
【図１０】図１０（Ａ）、図１０（Ｂ）、図１０（Ｃ）は、音響整合状態の判断処理における報知データの例。
【図１１】距離情報の判断処理のフローチャートの一例。
【図１２】図１２（Ａ）、図１２（Ｂ）は、距離情報の判断処理の例。
【図１３】受信信号の振幅の判断処理のフローチャートの一例。
【図１４】図１４（Ａ）、図１４（Ｂ）は、受信信号の振幅の判断処理の例。
【図１５】図１５（Ａ）、図１５（Ｂ）は、超音波画像装置の具体的な構成例。図１５（Ｃ）は、超音波プローブの具体的な構成例。
【発明を実施するための形態】
【００４３】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００４４】
１．超音波トランスデューサー素子
図１（Ａ）、図１（Ｂ）に、超音波トランスデューサー素子ＵＥ（薄膜圧電型超音波トランスデューサー素子）の基本的な構成例を示す。超音波トランスデューサー素子ＵＥは、振動膜５０と、圧電素子部２０とを有する。圧電素子部２０は、下部電極２１、圧電体膜３０、上部電極２２を有する。なお、本実施形態の超音波トランスデューサー素子ＵＥは図１（Ａ）、図１（Ｂ）の構成に限定されず、その構成要素の一部を省略したり、他の構成要素に置き換えたり、他の構成要素を追加するなどの種々の変形実施が可能である。
【００４５】
図１（Ａ）は、基板６０（シリコン基板）に形成された超音波トランスデューサー素子ＵＥの、素子形成面側の基板に垂直な方向から見た平面図である。図１（Ｂ）は、図１（Ａ）のＡ−Ａ’に沿った断面を示す断面図である。
【００４６】
下部電極２１（第１電極層）は、振動膜５０の上層に例えば金属薄膜で形成される。この下部電極２１は、図１（Ａ）に示すように素子形成領域の外側へ延長され、隣接する超音波トランスデューサー素子ＵＥに接続される配線であってもよい。
【００４７】
圧電体膜３０（圧電体層）は、例えばＰＺＴ（ジルコン酸チタン酸鉛）薄膜により形成され、下部電極２１の少なくとも一部を覆うように設けられる。なお、圧電体膜３０の材料は、ＰＺＴに限定されるものではなく、例えばチタン酸鉛（ＰｂＴｉＯ３）、ジルコン酸鉛（ＰｂＺｒＯ３）、チタン酸鉛ランタン（（Ｐｂ、Ｌａ）ＴｉＯ３）などを用いてもよい。
【００４８】
上部電極２２（第２電極層）は、例えば金属薄膜で形成され、圧電体膜３０の少なくとも一部を覆うように設けられる。この上部電極２２は、図１（Ａ）に示すように素子形成領域の外側へ延長され、隣接する超音波トランスデューサー素子ＵＥに接続される配線であってもよい。
【００４９】
振動膜５０（メンブレン）は、例えばＳｉＯ２薄膜とＺｒＯ２薄膜との２層構造により開口４５を塞ぐように設けられる。この振動膜５０は、下部電極２１、圧電体膜３０及び上部電極２２を支持すると共に、圧電体膜３０の伸縮に従って振動し、超音波を発生させることができる。
【００５０】
開口４５は、基板６０に配置される。開口４５による空洞領域４０は、基板６０の裏面（素子が形成されない面）側から反応性イオンエッチング（ＲＩＥ：Reactive Ion Etching）等によりエッチングすることで形成される。この空洞領域４０の形成によって振動可能になった振動膜５０のサイズによって超音波の共振周波数が決定され、その超音波は圧電体膜３０側（図１（Ａ）において紙面奥から手前方向）に放射される。
【００５１】
超音波トランスデューサー素子ＵＥの下部電極２１は、第１電極層により形成され、上部電極２２は、第２電極層により形成される。具体的には、第１電極層のうちの圧電体膜３０に覆われた部分が下部電極２１を形成し、第２電極層のうちの圧電体膜３０を覆う部分が上部電極２２を形成する。即ち、圧電体膜３０は、下部電極２１と上部電極２２に挟まれて設けられる。
【００５２】
圧電体膜３０は、下部電極２１と上部電極２２との間、即ち第１電極層と第２電極層との間に電圧が印加されることで、面内方向に伸縮する。超音波トランスデューサー素子ＵＥは、薄手の圧電素子部２０と振動膜５０を貼り合わせたモノモルフ（ユニモルフ）構造を用いており、圧電素子部２０が面内で伸び縮みすると貼り合わせた振動膜５０の寸法はそのままであるため反りが生じる。従って、圧電体膜３０に交流電圧を印加することで、振動膜５０が膜厚方向に対して振動し、この振動膜５０の振動により超音波が放射される。圧電体膜３０に印加される電圧は、例えば１０〜３０Ｖであり、周波数は例えば１〜１０ＭＨｚである。
【００５３】
バルクの超音波トランスデューサー素子の駆動電圧がピークからピークで１００Ｖ程度であるのに対して、図１（Ａ）、図１（Ｂ）に示すような薄膜圧電型超音波トランスデューサー素子では、駆動電圧をピークからピークで１０〜３０Ｖ程度に小さくすることができる。
【００５４】
超音波トランスデューサー素子ＵＥは、出射された超音波が対象物で反射されて戻ってくる超音波エコーを受信する受信素子としても動作する。超音波エコーにより振動膜５０が振動し、この振動によって圧電体膜３０に圧力が加わり、下部電極２１と上部電極２２との間に電圧が発生する。この電圧を受信信号として取り出すことができる。
【００５５】
なお、以下では必要に応じて、超音波の測定環境の判断に用いられる超音波トランスデューサー素子にはＵＥＰの符号を付し、超音波測定に用いられる複数の超音波トランスデューサー素子にはＵＥＸの符号を付して区別する。
【００５６】
２．超音波トランスデューサーデバイス
図２に、本実施形態の超音波トランスデューサーデバイス３１０の第１の構成例を示す。本構成例の超音波トランスデューサーデバイス３１０は、１又は複数の測定環境判断用の超音波トランスデューサー素子ＵＥＰ（ＵＥＰ１〜ＵＥＰ５）、アレイ状に配置された複数の超音波測定用の超音波トランスデューサー素子ＵＥＸ、測定環境判断用の信号端子Ｐ１〜Ｐ５、測定環境判断用の信号配線ＰＬ１〜ＰＬ５、超音波測定用の信号端子Ｘ１〜Ｘｎ（ｎは２以上の整数）、超音波測定用の信号配線ＸＬ１〜ＸＬｎ、コモン電圧端子ＣＯＭ及びコモン電極線ＣＬ１〜ＣＬｍ（ｍは２以上の整数）を含む。図２では、例としてｍ＝８、ｎ＝１２の場合を示すが、これ以外の値であってもよい。なお、本実施形態の超音波トランスデューサーデバイス３１０は図２の構成に限定されず、その構成要素の一部を省略したり、他の構成要素に置き換えたり、他の構成要素を追加するなどの種々の変形実施が可能である。例えば、測定環境判断用の超音波トランスデューサー素子ＵＥＰの個数は１個であってもよいし、２個以上であってもよい。
【００５７】
なお、以下の説明では、測定環境判断用の超音波トランスデューサー素子を「測定環境判断用素子」、超音波測定用の超音波トランスデューサー素子を「超音波測定用素子」とも呼ぶ。
【００５８】
複数の超音波測定用の超音波トランスデューサー素子ＵＥＸ（超音波測定用素子）は、被検体の超音波測定用に設けられた素子であって、ｍ行ｎ列のマトリックス状（アレイ状）に配置される。例えば図２に示すように、Ｘ方向に８行、そしてＸ方向に交差するＹ方向に１２列に配置される。超音波測定用素子ＵＥＸは、例えば図１（Ａ）、図１（Ｂ）に示した構成とすることができる。
【００５９】
超音波測定用の信号配線ＸＬ１〜ＸＬ１２は、Ｘ方向に配線され、複数の超音波測定用素子ＵＥＸと超音波測定用の信号端子Ｘ１〜Ｘ１２とを接続する。具体的には、超音波測定用の信号配線ＸＬ１〜ＸＬ１２のうちの第ｊ（ｊは１≦ｊ≦１２である整数）の信号配線ＸＬｊは、第ｊ列に配置される各超音波測定用素子ＵＥＸが有する第１の電極（例えば上部電極）と第ｊの超音波測定用の信号端子Ｘｊとを接続する。
【００６０】
超音波測定用の信号端子Ｘ１〜Ｘ１２は、超音波トランスデューサーデバイス３１０のＸ方向側に設けられる。
【００６１】
超音波測定処理において、超音波を出射する送信期間には、後述する送信部１１０からの送信信号ＶＴ１〜ＶＴ１２が超音波測定用の信号端子Ｘ１〜Ｘ１２に入力され、各超音波測定用素子ＵＥＸに供給される。また、超音波エコー信号を受信する受信期間には、各超音波測定用素子ＵＥＸからの受信信号ＶＲ１〜ＶＲ１２が超音波測定用の信号端子Ｘ１〜Ｘ１２から後述する受信部１２０に対して出力される。
【００６２】
コモン電極線ＣＬ１〜ＣＬ８は、Ｙ方向に配線される。超音波測定用素子ＵＥＸが有する第２の電極（例えば下部電極）は、コモン電極線ＣＬ１〜ＣＬ８のうちのいずれかに接続される。具体的には、例えば図２に示すように、コモン電極線ＣＬ１〜ＣＬ８のうちの第ｉ（ｉは１≦ｉ≦８である整数）のコモン電極線ＣＬｉは、第ｉ列に配置される各超音波測定用素子ＵＥＸが有する第２の電極に接続される。
【００６３】
コモン電極線ＣＬ１〜ＣＬ８は、コモン電圧端子ＣＯＭに共通接続される。コモン電圧端子ＣＯＭには、コモン電圧が供給される。このコモン電圧は一定の直流電圧であればよく、０Ｖ即ちグランド電位（接地電位）でなくてもよい。
【００６４】
なお、複数の超音波測定用素子ＵＥＸの配置は、図２に示すｍ行ｎ列のマトリックス配置に限定されない。例えば奇数番目の列にｍ個の素子が配置され、偶数番目の列にｍ−１個の素子が配置される、いわゆる千鳥配置であってもよい。
【００６５】
１又は複数の測定環境判断用の超音波トランスデューサー素子ＵＥＰ（測定環境判断用素子）は、超音波の測定環境の判断用に設けられた素子であって、上述したアレイ状に配置された超音波測定用素子ＵＥＸとは別に設けられる。即ち、超音波測定用素子ＵＥＸが配置されるアレイとは異なる位置に配置される。具体的には、例えば図２に示すように、第１〜第４の測定環境判断用素子ＵＥＰ１〜ＵＥＰ４は超音波トランスデューサーデバイス３１０の第１〜第４のコーナー部に設けられ、第５の測定環境判断用素子ＵＥＰ５は超音波トランスデューサーデバイス３１０の中央部に設けられる。なお、測定環境判断用素子ＵＥＰの個数及び配置は図２に示すものに限定されない。
【００６６】
測定環境判断用の信号端子Ｐ１、Ｐ２は超音波トランスデューサーデバイス３１０のＸ方向側に設けられ、測定環境判断用の信号端子Ｐ３、Ｐ４、Ｐ５は超音波トランスデューサーデバイス３１０の−Ｘ方向側に設けられる。
【００６７】
測定環境判断用の信号配線ＰＬ１〜ＰＬ５は、測定環境判断用素子ＵＥＰ１〜ＵＥＰ５と測定環境判断用の信号端子Ｐ１〜Ｐ５とを接続する。具体的には、測定環境判断用の信号配線ＰＬ１〜ＰＬ５のうちの第ｋ（ｋは１≦ｋ≦５である整数）の信号配線ＰＬｋは、第ｋの測定環境判断用素子ＵＥＰｋが有する第１の電極（例えば上部電極）と第ｋの測定環境判断用の信号端子Ｐｋとを接続する。
【００６８】
測定環境判断用素子ＵＥＰ１〜ＵＥＰ５が有する第２の電極（例えば下部電極）は、コモン電極線ＣＬ１〜ＣＬ８のうちのいずれかに接続される。例えば、測定環境判断用素子ＵＥＰ１、ＵＥＰ２の第２の電極はコモン電極線ＣＬ８に接続され、測定環境判断用素子ＵＥＰ３、ＵＥＰ４の第２の電極はコモン電極線ＣＬ１に接続され、測定環境判断用素子ＵＥＰ５の第２の電極はコモン電極線ＣＬ４に接続される。なお、測定環境判断用のコモン電極線をコモン電極線ＣＬ１〜ＣＬ８とは別に設けて、測定環境判断用素子ＵＥＰ１〜ＵＥＰ５の第２の電極に接続してもよい。
【００６９】
測定環境の判断処理において、送信期間には、後述する送信部１１０からの送信信号が測定環境判断用の信号端子Ｐ１〜Ｐ５に入力され、測定環境判断用素子ＵＥＰ１〜ＵＥＰ５に供給される。また、受信期間には、測定環境判断用素子ＵＥＰ１〜ＵＥＰ５からの受信信号が測定環境判断用の信号端子Ｐ１〜Ｐ５から後述する受信部１２０に対して出力される。
【００７０】
測定環境判断用素子ＵＥＰ１〜ＵＥＰ５の共振周波数を、超音波測定用素子ＵＥＸの共振周波数と異なるものにすることができる。例えば測定環境判断用素子ＵＥＰ１〜ＵＥＰ５の共振周波数を超音波測定用素子ＵＥＸの共振周波数よりも低くすることができる。こうすることで、測定環境の判断処理において、低い周波数（例えば１〜３ＭＨｚ）の超音波を効率良く出射することができる。周波数が低いほど被検体内部における超音波の減衰が小さく、より深いところまで超音波が到達するから、測定環境の判断処理に適している。
【００７１】
測定環境の判断処理は、後述する処理部１３０によって処理される。処理部１３０は、複数の超音波トランスデューサー素子のうちの超音波の測定環境の判断用に設けられた超音波トランスデューサー素子ＵＥＰ（測定環境判断用素子）についての受信信号に基づいて、測定環境の判断処理を行う。そして複数の超音波トランスデューサー素子のうちの被検体の超音波測定用に設けられた複数の超音波トランスデューサー素子ＵＥＸ（超音波測定用素子）についての受信信号に基づいて、被検体の超音波測定処理を行う。
【００７２】
処理部１３０は、超音波測定処理に先立って測定環境の判断処理を行い、測定環境が適正であると判断した場合には、被検体の超音波測定処理を行う。こうすることで、超音波測定装置の操作に慣れていないユーザーであっても、適正な測定環境の状態で超音波測定を行うことができる。なお、処理測定環境の判断処理の詳細については、後述する。
【００７３】
超音波測定における測定環境が適正とは、例えば超音波トランスデューサーデバイス３１０と被検体との間の音響整合状態が適正であること、或いは、超音波トランスデューサーデバイス３１０と被検体との間の距離が適正であること、或いは対象物からの超音波エコーによる受信信号の振幅が適正であることなどである。測定環境が適正である場合には、超音波測定によって対象物についての所望の情報を正確に得ることができるが、測定環境が適正でない場合には、対象物についての所望の情報を正確に得ることができないか、或いは困難になる。
【００７４】
音響整合状態とは、超音波トランスデューサーデバイス３１０と被検体との間の音響インピーダンスの整合（マッチング）状態であって、音響整合状態が適正な状態とは、両者の間の音響インピーダンスが整合している状態である。音響インピーダンス整合が不良の場合には、超音波が減衰してしまうために、正確な測定ができなくなる。例えば、超音波トランスデューサーデバイス３１０と被検体との間に空気が介在する場合などである。
【００７５】
距離情報とは、超音波トランスデューサーデバイス３１０と被検体との間の距離に関する情報である。ユーザーが超音波プローブ３００を強く押し当てるほど、この距離が短くなり、反対に押し当てが弱くなるほどこの距離が長くなる。超音波トランスデューサーデバイス３１０と被検体との間の距離が適正な状態とは、押し当ての強さが適正である状態である。押し当てが強すぎる場合には、被検体の脂肪層や筋肉層などが変形して正確な測定ができなくなる。
【００７６】
受信信号の振幅とは、対象物からの超音波エコーによる受信信号の振幅（信号強度）である。例えば、出射された超音波のビームが対象物の方向に正しく向いていない場合には、対象物からの超音波エコーによる受信信号の振幅は小さくなる。受信信号の振幅が小さい場合には、鮮明な超音波画像などを取得することが困難になり、正確な測定ができなくなる。受信信号の振幅が適正な状態とは、受信信号の振幅が、対象物について所望な情報を正確に得るために必要な振幅以上である状態である。
【００７７】
図３に、本実施形態の超音波トランスデューサーデバイス３１０の第２の構成例を示す。本構成例の超音波トランスデューサーデバイス３１０は、１又は複数の測定環境判断用の超音波トランスデューサー素子ＵＥＰ（ＵＥＰ１〜ＵＥＰ５）、複数の超音波測定用の超音波トランスデューサー素子ＵＥＸ、測定環境判断用の信号端子Ｐ１〜Ｐ５、測定環境判断用の信号配線ＰＬ１〜ＰＬ５、超音波測定用の信号端子Ｘ１〜Ｘｎ（ｎは２以上の整数）、超音波測定用の信号配線ＸＬ１〜ＸＬｎ、コモン電圧端子ＣＯＭ及びコモン電極線ＣＬ１〜ＣＬｍ（ｍは２以上の整数）を含む。図３では、例としてｍ＝８、ｎ＝１２の場合を示すが、これ以外の値であってもよい。なお、本実施形態の超音波トランスデューサーデバイス３１０は図３の構成に限定されず、その構成要素の一部を省略したり、他の構成要素に置き換えたり、他の構成要素を追加するなどの種々の変形実施が可能である。例えば、測定環境判断用の超音波トランスデューサー素子ＵＥＰ（測定環境判断用素子）の個数は１個であってもよいし、２個以上であってもよい。
【００７８】
第２の構成例では、測定環境判断用素子ＵＥＰ１〜ＵＥＰ５の配置が上述した第１の構成例（図２）と異なる。即ち、測定環境判断用素子ＵＥＰ１〜ＵＥＰ５は、複数の超音波測定用素子ＵＥＸと共に１つのアレイ状に配置される。例えば図３に示すように、８行１２列のアレイ状に配置された素子のうち、第８行第１列の素子が測定環境判断用素子ＵＥＰ１として設けられ、第８行第１２列の素子が測定環境判断用素子ＵＥＰ２として設けられ、第１行第１列の素子が測定環境判断用素子ＵＥＰ３として設けられ、第１行第１２列の素子が測定環境判断用素子ＵＥＰ４として設けられ、第４行第６列の素子が測定環境判断用素子ＵＥＰ５として設けられる。これ以外の素子は、超音波測定用素子ＵＥＸとして設けられる。なお、測定環境判断用素子ＵＥＰの個数及び配置は図３に示すものに限定されない。
【００７９】
上述した第１の構成例と同様に、測定環境判断用の信号端子Ｐ１、Ｐ２は超音波トランスデューサーデバイス３１０のＸ方向側に設けられ、測定環境判断用の信号端子Ｐ３、Ｐ４、Ｐ５は超音波トランスデューサーデバイス３１０の−Ｘ方向側に設けられる。測定環境判断用の信号配線ＰＬ１〜ＰＬ５は、測定環境判断用素子ＵＥＰ１〜ＵＥＰ５が有する第１の電極（例えば上部電極）と測定環境判断用の信号端子Ｐ１〜Ｐ５とを接続する。測定環境判断用素子ＵＥＰ１〜ＵＥＰ５が有する第２の電極（例えば下部電極）は、コモン電極線ＣＬ１〜ＣＬ８のうちの対応するコモン電極線に接続される。
【００８０】
超音波測定用素子ＵＥＸ、超音波測定用の信号端子Ｘ１〜Ｘ１２、超音波測定用の信号配線ＸＬ１〜ＸＬ１２、コモン電圧端子ＣＯＭ及びコモン電極線ＣＬ１〜ＣＬ８については、第１の構成例と同様であるから、ここでは詳細な説明を省略する。
【００８１】
図４に、本実施形態の超音波トランスデューサーデバイス３１０の第３の構成例を示す。本構成例の超音波トランスデューサーデバイス３１０は、複数の超音波トランスデューサー素子ＵＥ（ＵＥＰ、ＵＥＸ）、信号端子Ｘ１〜Ｘｎ（ｎは２以上の整数）、信号配線ＸＬ１〜ＸＬｎ、コモン電圧端子ＣＯＭ及びコモン電極線ＣＬ１〜ＣＬｍ（ｍは２以上の整数）を含む。図４では、例としてｍ＝８、ｎ＝１２の場合を示すが、これ以外の値であってもよい。なお、本実施形態の超音波トランスデューサーデバイス３１０は図４の構成に限定されず、その構成要素の一部を省略したり、他の構成要素に置き換えたり、他の構成要素を追加するなどの種々の変形実施が可能である。
【００８２】
第３の構成例では、アレイ状に配置された複数の超音波トランスデューサー素子ＵＥのうちの一部の素子が、測定環境の判断処理において、測定環境判断用素子ＵＥＰとして用いられる。複数の超音波トランスデューサー素子ＵＥのうちの測定環境判断用素子ＵＥＰ（広義には一部の超音波トランスデューサー素子）よりも多い数の超音波トランスデューサー素子が、超音波測定処理において超音波測定用素子ＵＥＸとして用いられる。
【００８３】
具体的には、例えば図４に示すように、第１列の８個の素子が測定環境判断用素子ＵＥＰ１として用いられ、第１２列の８個の素子が測定環境判断用素子ＵＥＰ２として用いられ、第６列の８個の素子が測定環境判断用素子ＵＥＰ３として用いられる。これらの素子を除く複数の超音波トランスデューサー素子は、超音波測定用素子ＵＥＸとして用いられる。なお、測定環境判断用素子ＵＥＰ１〜ＵＥＰ３は、超音波測定処理において、他の素子と共に超音波測定用素子ＵＥＸとして用いられてもよい。
【００８４】
超音波測定用素子ＵＥＸ、超音波測定用の信号端子Ｘ１〜Ｘ１２、超音波測定用の信号配線ＸＬ１〜ＸＬ１２、コモン電圧端子ＣＯＭ及びコモン電極線ＣＬ１〜ＣＬ８については、第１の構成例と同様であるから、ここでは詳細な説明を省略する。
【００８５】
後述する処理部１３０は、複数の超音波トランスデューサー素子のうちの一部の超音波トランスデューサー素子（例えば図４のＵＥＰ１〜ＵＥＰ３）についての受信信号に基づいて、超音波の測定環境の判断処理を行う。そして複数の超音波トランスデューサー素子のうちの一部の超音波トランスデューサー素子よりも多い数の超音波トランスデューサー素子（例えば図４のＵＥＸ）についての受信信号に基づいて、被検体の超音波測定処理を行う。
【００８６】
第３の構成例では、測定環境の判断処理のための専用の素子、信号端子及び信号配線が不要となるから、超音波トランスデューサーデバイスの構成を簡素にすることができ、実装コストを低減することなどが可能になる。
【００８７】
本実施形態の超音波トランスデューサーデバイス３１０に含まれる素子は、上述した薄膜圧電型超音波トランスデューサー素子に限定されず、例えば容量性微細加工超音波トランスデューサー素子（ＣＭＵＴ：Capacitive Micromachined Ultrasonic Transducer）であってもよい。
【００８８】
３．超音波測定装置
図５に、本実施形態の超音波測定装置１００及び超音波画像装置４００の基本的な構成例を示す。超音波測定装置１００は、超音波プローブ３００、送信部１１０、受信部１２０及び処理部１３０を含む。超音波プローブ３００は、超音波トランスデューサーデバイス３１０を含む。超音波画像装置４００は、超音波測定装置１００及び表示部４１０を含む。なお、本実施形態の超音波測定装置１００及び超音波画像装置４００は図５の構成に限定されず、その構成要素の一部を省略したり、他の構成要素に置き換えたり、他の構成要素を追加するなどの種々の変形実施が可能である。
【００８９】
超音波プローブ３００は、超音波トランスデューサーデバイス３１０を含む。超音波トランスデューサーデバイス３１０については既に説明したので、ここでは詳細な説明を省略する。
【００９０】
送信部１１０は、超音波トランスデューサーデバイス３１０に対して超音波の送信処理を行う。具体的には、送信部１１０が超音波トランスデューサーデバイス３１０に対して送信信号（駆動信号）を出力し、超音波トランスデューサーデバイス３１０が電気信号である送信信号を超音波に変換して、対象物に対して超音波を出射する。送信部１１０の少なくとも一部は、超音波プローブ３００に設けられてもよい。
【００９１】
受信部１２０は、超音波トランスデューサーデバイス３１０が送信した超音波の超音波エコーの受信処理を行う。具体的には、超音波トランスデューサーデバイス３１０が対象物からの超音波エコーを電気信号に変換する。そして受信部１２０は、超音波トランスデューサーデバイス３１０からの電気信号である受信信号（アナログ信号）に対して増幅、検波、Ａ／Ｄ変換、位相合わせなどの受信処理を行い、受信処理後の信号である受信信号（デジタルデータ）を処理部１３０に対して出力する。受信部１２０の少なくとも一部は、超音波プローブ３００に設けられてもよい。
【００９２】
処理部１３０は、受信部１２０からの受信信号の処理及び送信部１１０への出力信号の処理を含む制御処理を行う。具体的には、処理部１３０は、超音波測定処理に先立って測定環境の判断処理を行い、測定環境が適正であると判断した場合には、被検体の超音波測定処理を行う。
【００９３】
処理部１３０は、複数の超音波トランスデューサー素子のうちの超音波の測定環境の判断用に設けられた超音波トランスデューサー素子（測定環境判断用素子）（例えば図２、図３のＵＥＰ１〜ＵＥＰ５）についての受信信号に基づいて、測定環境の判断処理を行う。そして複数の超音波トランスデューサー素子のうちの被検体の超音波測定用に設けられた複数の超音波トランスデューサー素子（超音波測定用素子）ＵＥＸについての受信信号に基づいて、被検体の超音波測定処理を行う。
【００９４】
また処理部１３０は、複数の超音波トランスデューサー素子のうちの一部の超音波トランスデューサー素子（例えば図４のＵＥＰ１〜ＵＥＰ３）についての受信信号に基づいて、測定環境の判断処理を行う。そして複数の超音波トランスデューサー素子のうちの一部の超音波トランスデューサー素子よりも多い数の超音波トランスデューサー素子ＵＥＸについての受信信号に基づいて、被検体の超音波測定処理を行うこともできる。
【００９５】
処理部１３０は、測定環境の状態を報知する報知データを生成して報知部４２０に対して出力する。さらに、ユーザーに測定環境の変更を指示する報知データを生成して報知部４２０に対して出力することもできる。報知データは、表示部４１０に表示させるための表示用画像データの他、スピーカーから出力させるための音声データなどを含んでもよい。具体的には、報知データは、測定環境の状態や測定環境の変更を指示する画像（イメージ）、或いは測定環境の変更を促す音声メッセージのデータである。或いは、報知データは、ビープ音のピッチ又は音量を変化させる制御信号、ＬＥＤを発光・点滅させる制御信号、或いはバイブレーターを振動させる制御信号などについてのデータである。
【００９６】
報知部４２０は、例えば液晶ディスプレイ等の表示部４１０やスピーカー（図示せず）等であって、処理部１３０からの報知データをユーザーに対して報知する。表示部４１０は、例えば液晶ディスプレイ、有機ＥＬディスプレイ等の表示装置であって、処理部１３０からの表示用画像データを表示する。報知部４２０は、例えばビープ音を発生するビーパー、又は発光・点滅するＬＥＤ、又は振動するバイブレーターなどであってもよい。
【００９７】
このように本実施形態の超音波測定装置１００によれば、超音波測定処理に先立って測定環境の判断処理を行い、測定環境が適正であると判断した場合に、被検体の超音波測定処理を行うことができる。また、ユーザーに対して測定環境の状態を報知し、さらに測定環境の変更を指示することができる。こうすることで、超音波測定装置の操作に慣れていないユーザーであっても、適正な測定環境の状態で超音波測定を行うことができる。
【００９８】
また、本実施形態の超音波測定装置１００によれば、複数の超音波トランスデューサー素子のうちの超音波の測定環境の判断に用いられる素子（測定環境判断用素子）からの受信信号に基づいて測定環境の判断処理を行うことができる。即ち、対象物の超音波画像データを取得せずに測定環境の判断処理を行うことができる。従って、被検体（対象物）の超音波画像データを取得し、画像処理によって測定環境の判断処理を行う方法と比較して、より簡素な構成でより高速な判断処理を行うことができる。
【００９９】
図６は、本実施形態の超音波測定装置１００による測定環境の判断処理及び超音波測定処理のフローチャートの一例である。図６に示す処理は、処理部１３０によって実行される。
【０１００】
最初に音響整合状態の判断処理が実行される（ステップＳ１）。音響整合状態とは、超音波トランスデューサーデバイス３１０と被検体との間の音響インピーダンスの整合状態である。音響整合状態が適正でない場合、即ち音響インピーダンスの整合（マッチング）が不良の場合には、超音波トランスデューサーデバイス３１０から出射された超音波が減衰してしまうために、正確な測定ができなくなる。例えば、超音波トランスデューサーデバイス３１０と被検体との間に空気が介在する場合などである。
【０１０１】
次に、距離情報の判断処理が実行される（ステップＳ２）。距離情報とは、超音波トランスデューサーデバイス３１０と被検体との間の距離に関する情報である。ユーザーが超音波プローブ３００を強く押し当てるほど、この距離が短くなるから、距離情報によって押し当ての強さ（押し圧）が適正であるか否かを判断することができる。押し当てが強すぎる場合には、被検体の脂肪層や筋肉層などが変形して正確な測定ができなくなる。
【０１０２】
次に、受信信号の振幅の判断処理が実行される（ステップＳ３）。受信信号の振幅とは、超音波の測定環境の判断に用いられる超音波トランスデューサー素子（測定環境判断用素子）についての受信信号の振幅である。超音波プローブ３００の被検体に対する角度が適正でない場合には、対象物からの超音波エコーによる受信信号の振幅は小さくなる。従って、測定環境判断用素子からの受信信号の振幅によって、超音波プローブ３００の被検体に対する角度が適正であるか否かを判断することができる。
【０１０３】
音響整合状態の判断処理、距離情報の判断処理及び受信信号の振幅の判断処理においてそれぞれ適正であると判断された場合には、超音波測定処理が実行される（ステップＳ４）。
【０１０４】
図７は、音響整合状態の判断処理のフローチャートの一例である。図７に示す処理は、処理部１３０によって実行される。以下では、超音波トランスデューサーデバイス３１０の第１、第２の構成例（図２、図３）の測定環境判断用素子ＵＥＰ１〜ＵＥＰ５を例として説明するが、他の構成でも同様である。
【０１０５】
最初に、処理部１３０は、測定環境判断用素子ＵＥＰ１〜ＵＥＰ５の送受信処理を行う（ステップＳ１１）。具体的には、処理部１３０の制御処理に基づいて、送信部１１０が測定環境判断用素子に対して送信信号を出力し、測定環境判断用素子ＵＥＰ１〜ＵＥＰ５が超音波を送信する。そして送信後に最初に戻ってくる被検体表面（例えば人体の皮膚）からの反射波（第１反射波）を測定環境判断用素子ＵＥＰ１〜ＵＥＰ５が受信して受信部１２０に出力する。受信部１２０は測定環境判断用素子ＵＥＰ１〜ＵＥＰ５からの受信信号に対して受信処理を行って処理部１３０に出力する。
【０１０６】
次に、処理部１３０は、測定環境判断用素子ＵＥＰ１〜ＵＥＰ５について第１反射波の受信信号の振幅を比較する（ステップＳ１２）。
【０１０７】
次に、処理部１３０は、測定環境判断用素子ＵＥＰ１〜ＵＥＰ５について第１反射波の受信信号の遅延を比較する（ステップＳ１３）。
【０１０８】
次に、処理部１３０は、測定環境判断用素子ＵＥＰについての第１反射波の受信信号の振幅及び遅延の比較結果に基づいて、音響整合状態が適正であるか否かを判断する（ステップＳ１４）。例えば、第１〜第５の測定環境判断用素子ＵＥＰ１〜ＵＥＰ５が受信した５つの受信信号について、振幅の最大値と最小値との差が所定の値以下であって、且つ、遅延の最大値と最小値との差が所定の値以下である場合には、処理部１３０は音響整合状態が適正であると判断する。それ以外の場合には、音響整合状態が適正でないと判断する。
【０１０９】
音響整合状態が適正であるときは各受信信号間の振幅及び遅延のばらつきは小さいが、音響整合状態が適正でないときは各受信信号間の振幅及び遅延のばらつきが大きくなる。従って受信信号の振幅及び遅延を比較することで、音響整合状態が適正であるか否かを判断することができる。
【０１１０】
処理部１３０が音響整合状態は適正であると判断した場合には、音響整合状態が適正であることをユーザーに報知する報知データを生成し出力する（ステップＳ１５）。
【０１１１】
一方、処理部１３０が音響整合状態は適正でないと判断した場合には、ユーザーに対して音響整合状態を適正にするために必要な処置（広義には測定環境の変更）を指示する報知データを生成し出力する（ステップＳ１６）。そしてステップＳ１１に戻り、処理を繰り返す。
【０１１２】
図８（Ａ）、図８（Ｂ）、図８（Ｃ）に、音響整合状態の判断処理の第１の例を示す。図８（Ａ）は、超音波トランスデューサーデバイス３１０における測定環境判断用素子ＵＥＰ１〜ＵＥＰ５の配置を示す。図８（Ｂ）は、超音波トランスデューサーデバイス３１０と音響整合層２００との間に空気が介在する場合を示す。音響整合層２００は、超音波トランスデューサーデバイス３１０と被検体との音響整合を得るための部材であって、例えばジェルシートやジェルなどである。図８（Ｃ）は、測定環境判断用素子ＵＥＰ１〜ＵＥＰ５からの受信信号（第１反射波の受信信号）を示す。
【０１１３】
図８（Ｃ）に示すように、超音波トランスデューサーデバイス３１０と音響整合層２００との間に空気が介在する場合には、超音波トランスデューサーデバイス３１０の中央部に配置された測定環境判断用素子ＵＥＰ５からの受信信号の振幅が他の受信信号と比べて著しく小さくなる。従って、測定環境判断用素子ＵＥＰ１〜ＵＥＰ５からの受信信号の振幅を比較することで、空気の介在を検出することができる。さらに超音波トランスデューサーデバイス３１０のどの部分に空気が介在しているかを検出することができる。
【０１１４】
図９（Ａ）、図９（Ｂ）、図９（Ｃ）に、音響整合状態の判断処理の第２の例を示す。図９（Ａ）は、超音波トランスデューサーデバイス３１０における測定環境判断用素子ＵＥＰ１〜ＵＥＰ５の配置を示す。図９（Ｂ）は、超音波トランスデューサーデバイス３１０が被検体表面に対して傾いている場合を示す。図９（Ｃ）は、測定環境判断用素子ＵＥＰ１〜ＵＥＰ５からの受信信号（第１反射波の受信信号）を示す。
【０１１５】
超音波トランスデューサーデバイス３１０が被検体表面に対して傾いている場合には、測定環境判断用素子ＵＥＰ１〜ＵＥＰ５からの受信信号の遅延が異なる。例えば図９（Ｂ）に示すように超音波トランスデューサーデバイス３１０が−Ｙ方向に傾いている場合には、図９（Ｃ）に示すように−Ｙ方向側に配置された測定環境判断用素子ＵＥＰ１、ＵＥＰ３からの受信信号の遅延が短くなり、＋Ｙ方向側に配置された測定環境判断用素子ＵＥＰ２、ＵＥＰ４のからの受信信号の遅延が長くなる。従って、測定環境判断用素子ＵＥＰ１〜ＵＥＰ５からの受信信号の遅延を比較することで、超音波トランスデューサーデバイス３１０の被検体表面に対する傾きを検出することができる。
【０１１６】
図１０（Ａ）、図１０（Ｂ）、図１０（Ｃ）に、音響整合状態の判断処理における報知データの例を示す。具体的には、処理部１３０により生成された表示用画像データに基づいて表示部４１０が表示する画像である。
【０１１７】
図１０（Ａ）は、図８（Ｂ）に示したような超音波トランスデューサーデバイス３１０と音響整合層２００との間に空気が介在する場合であって、超音波トランスデューサーデバイス３１０の中央部に空気があることを示す画像である。
【０１１８】
図１０（Ｂ）は、図９（Ｂ）に示したような超音波トランスデューサーデバイス３１０が傾いている場合であって、超音波トランスデューサーデバイス３１０が−Ｙ方向に傾いていることを示す画像である。
【０１１９】
図１０（Ｃ）は、処理部１３０が音響整合状態は適正であると判断した場合であって、音響整合状態は適正であることを示す画像である。
【０１２０】
なお、図１０（Ａ）、図１０（Ｂ）、図１０（Ｃ）に示した画像と共に、例えば「空気が入っています」、「傾いています」、「適正な状態です」などの音声メッセージを出力してもよい。
【０１２１】
図１１は、距離情報の判断処理のフローチャートの一例である。図１１に示す処理は、処理部１３０によって実行される。以下では、超音波トランスデューサーデバイス３１０の第１、第２の構成例（図２、図３）の測定環境判断用素子ＵＥＰ１〜ＵＥＰ５を例として説明するが、他の構成でも同様である。
【０１２２】
最初に、処理部１３０は、測定環境判断用素子ＵＥＰ１〜ＵＥＰ５の送受信処理を行う（ステップＳ２１）。この送受信処理は、音響整合状態の判断処理と同様であるからここでは詳細な説明を省略する。
【０１２３】
次に、処理部１３０は、測定環境判断用素子ＵＥＰ１〜ＵＥＰ５についての受信信号に基づいて距離情報を取得する（ステップＳ２２）。具体的には、測定環境判断用素子ＵＥＰ１〜ＵＥＰ５についての第１反射波の受信信号に基づいて、超音波トランスデューサーデバイス３１０から被検体表面（例えば人体の皮膚）までの距離情報を取得する。
【０１２４】
次に、処理部１３０は、取得した距離情報と所定の距離情報とを比較する（ステップＳ２３）。ここで所定の距離情報とは、例えば超音波プローブ３００が適正な押し当ての強さ（押し圧）で被検体に押し当てられた場合の音響整合層２００の厚さに相当する距離である。或いは、過去の超音波測定時に取得された距離情報であって超音波測定装置１００の記憶部に記憶された距離情報であってもよい。
【０１２５】
次に、処理部１３０は、距離情報の比較結果に基づいて、超音波トランスデューサーデバイス３１０と被検体との距離が適正であるか否かを判断する（ステップＳ２４）。具体的には、取得した距離情報と所定の距離情報とが一致する場合、或いは取得した距離情報と所定の距離情報との差が規定値以下である場合には、処理部１３０は超音波トランスデューサーデバイス３１０と被検体との距離が適正であると判断する。それ以外の場合には、適正でないと判断する。
【０１２６】
処理部１３０が被検体との距離は適正であると判断した場合には、被検体との距離が適正であることをユーザーに報知する報知データを生成し出力する（ステップＳ２５）。
【０１２７】
一方、処理部１３０が被検体との距離は適正でないと判断した場合には、ユーザーに対して被検体との距離を適正にするために必要な処置（広義には測定環境の変更）を指示する報知データを生成し出力する（ステップＳ２６）。そしてステップＳ２１に戻り、処理を繰り返す。
【０１２８】
図１２（Ａ）、図１２（Ｂ）に、距離情報の判断処理の例を示す。図１２（Ａ）は、超音波プローブ３００を被検体に押し当てた状態を示す。
【０１２９】
処理部１３０は、測定環境判断用素子ＵＥＰ１〜ＵＥＰ５についての第１反射波の受信信号に基づいて、超音波トランスデューサーデバイス３１０から被検体表面（例えば人体の皮膚）までの距離情報ＤＡを取得する。そして処理部１３０は、取得した距離情報と所定の距離情報とを比較して、超音波トランスデューサーデバイス３１０と被検体表面との距離が適正であるか否かを判断する。
【０１３０】
処理部１３０は、被検体表面からの反射波による受信信号ではなく、さらに深い部分からの反射波による受信信号に基づいて距離情報を取得することもできる。例えば図１２（Ａ）に示すように、被検体の組織１と組織２との界面からの反射波による受信信号に基づいて距離情報ＤＢを取得することができる。被検体の組織１とは、例えば人体の脂肪層や筋肉層であって、組織２とは例えば骨部である。
【０１３１】
図１２（Ｂ）は、距離情報の判断処理における報知データの例を示す。具体的には、処理部１３０により生成された表示データに基づいて表示部４１０が表示する画像である。
【０１３２】
被検体との距離が所定値より大きく、処理部１３０が被検体との距離は適正でないと判断した場合には、超音波プローブ３００と被検体との距離関係を示す画像及び押し当てを強くする指示を示す画像が表示される。
【０１３３】
被検体との距離が所定値より小さく、処理部１３０が被検体との距離は適正でないと判断した場合には、超音波プローブ３００と被検体との距離関係を示す画像及び押し当てを弱くする指示を示す画像が表示される。
【０１３４】
処理部１３０が被検体との距離は適正であると判断した場合には、被検体との距離は適正であることを示す画像が表示される。
【０１３５】
なお、図１２（Ｂ）に示す画像と共に、例えば「もっと強く押して下さい」、「もっと弱く押して下さい」、「適正な状態です」などの音声メッセージを出力してもよい。
【０１３６】
図１３は、受信信号の振幅の判断処理のフローチャートの一例である。図１３に示す処理は、処理部１３０によって実行される。以下では、超音波トランスデューサーデバイス３１０の第１、第２の構成例（図２、図３）の測定環境判断用素子ＵＥＰ１〜ＵＥＰ５を例として説明するが、他の構成でも同様である。
【０１３７】
最初に、処理部１３０は、測定環境判断用素子ＵＥＰ１〜ＵＥＰ５の送受信処理を行う（ステップＳ３１）。この送受信処理は、音響整合状態の判断処理と同様であるからここでは詳細な説明を省略する。
【０１３８】
次に、処理部１３０は、測定環境判断用素子ＵＥＰ１〜ＵＥＰ５についての受信信号の振幅を検出する（ステップＳ３２）。
【０１３９】
次に、処理部１３０は、検出した受信信号の振幅を所定の値（所定値）と比較し、比較結果に基づいて受信信号の振幅が適正であるか否かを判断する。具体的には、受信信号の振幅が所定値（基準値）以上であるか否かを判断する（ステップＳ３３）。超音波プローブ３００の被検体に対する角度が適正でない場合には、対象物からの反射波による受信信号の振幅は小さくなるから、検出した受信信号の振幅によって超音波プローブ３００の被検体に対する角度が適正であるか否かを判断することができる。この所定値は、対象物を所望の精度で測定するために必要な受信信号の振幅（信号強度）である。
【０１４０】
検出した受信信号の振幅が所定値以上である場合には、受信信号の振幅が適正であると判断して、その旨を報知する報知データを生成し出力する（ステップＳ３４）。
【０１４１】
一方、検出した受信信号の振幅が所定値より小さい場合には、受信信号の振幅が適正でないと判断して、その旨を報知する報知データを生成し出力する。或いは、超音波プローブ３００の角度を適正にするために必要な処置（広義には測定環境の変更）を指示する報知データを生成し出力する（ステップＳ３５）。そしてステップＳ３１に戻り、処理を繰り返す。
【０１４２】
図１４（Ａ）、図１４（Ｂ）に、受信信号の振幅の判断処理の例を示す。図１４（Ａ）は、超音波プローブ３００の被検体に対する角度を変えた場合の超音波の出射方向を示す。
【０１４３】
超音波プローブ３００の角度が図１４（Ａ）のＡ１に示す場合には、超音波の出射方向はＢ１に示す方向になる。この場合には、超音波の出射方向は対象物がある方向に向いている。また、超音波プローブ３００の角度がＡ２に示す場合には、超音波の出射方向はＢ２に示す方向になる。この場合には、超音波の出射方向は僅かに対象物がある方向に向いている。また、超音波プローブ３００の角度がＡ３に示す場合には、超音波の出射方向はＢ３に示す方向になる。この場合には、超音波の出射方向は対象物がある方向から完全に外れている。
【０１４４】
図１４（Ｂ）は、受信信号の振幅の判断処理における報知データの例を示す。具体的には、処理部１３０により生成された表示データに基づいて表示部４１０が表示する画像である。
【０１４５】
図１４（Ａ）のＡ１に示す場合には、受信信号の振幅が所定値より高いことを示す画像が表示される。図１４（Ａ）のＡ２、Ａ３に示す場合には、受信信号の振幅が所定値より低いことを示す画像及び超音波プローブ３００の角度を調整する指示を示す画像が表示される。
【０１４６】
なお、図１４（Ｂ）に示す画像と共に、例えば「信号が弱いです。プローブの角度を調節して下さい。」などの音声メッセージを出力してもよい。或いは、受信信号の振幅に応じて音量又は高さが変化するビープ音を出力してもよい。
【０１４７】
以上説明したように、本実施形態の超音波測定装置１００によれば、処理部１３０が超音波測定処理に先立って測定環境の判断処理を行い、測定環境が適正であると判断した場合には、被検体の超音波測定処理を行うことができる。このようにすることで、超音波測定装置の操作に慣れていないユーザーであっても、適正な測定環境の状態で超音波測定を行うことができる。また、測定環境の判断処理において、測定環境判断用の超音波トランスデューサー素子からの受信信号の振幅、遅延及び距離情報に基づいて測定環境の判断処理を行うことができるから、超音波画像を取得して画像処理を行う方法と比較して簡素な構成で高速な判断処理を行うことができる。
【０１４８】
４．超音波画像装置
図１５（Ａ）、図１５（Ｂ）に、本実施形態の超音波画像装置４００の具体的な構成例を示す。図１５（Ａ）は携帯型の超音波画像装置４００を示し、図１５（Ｂ）は据置型の超音波画像装置４００を示す。
【０１４９】
携帯型及び据置型の超音波画像装置４００は共に、超音波測定装置１００、超音波プローブ３００、ケーブル３５０及び表示部４１０を含む。超音波プローブ３００は、超音波トランスデューサーデバイス３１０を含み、ケーブル３５０により超音波測定装置１００に接続される。表示部４１０は、表示用画像データを表示する。
【０１５０】
超音波測定装置１００が有する送信部１１０、受信部１２０及び処理部１３０の少なくとも一部を超音波プローブ３００に設けることもできる。
【０１５１】
図１５（Ｃ）に、本実施形態の超音波プローブ３００の具体的な構成例を示す。超音波プローブ３００はプローブヘッド３１５及びプローブ本体３２０を含み、図１５（Ｃ）に示すように、プローブヘッド３１５はプローブ本体３２０と脱着可能である。
【０１５２】
プローブヘッド３１５は、超音波トランスデューサーデバイス３１０、プローブ基体３１１、プローブ筐体３１２、プローブヘッド側コネクター３１３を含む。
【０１５３】
プローブ本体３２０は、プローブ本体側コネクター３２３を含む。プローブ本体側コネクター３２３は、プローブヘッド側コネクター３１３と接続される。プローブ本体３２０は、ケーブル３５０により超音波測定装置１００に接続される。なお、超音波測定装置１００が有する送信部１１０、受信部１２０の少なくとも一部をプローブ本体３２０に設けることもできる。
【０１５４】
なお、以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また超音波測定装置、超音波トランスデューサーデバイス及び超音波画像装置の構成、動作も本実施形態で説明したものに限定されず、種々の変形実施が可能である。
【符号の説明】
【０１５５】
２１  第１電極層（下部電極）、２２  第２電極層（上部電極）、
３０  圧電体膜（圧電体層）、４０  空洞領域、４５  開口、５０  振動膜、
６０  基板、
１００  超音波測定装置、１１０  送信部、１２０  受信部、１３０  処理部、
３００  超音波プローブ、３１０  超音波トランスデューサーデバイス、
３１１  プローブ基体、３１２  プローブ筐体、３１３  プローブヘッド側コネクター、
３１５  プローブヘッド、３２０  プローブ本体、３２３  プローブ本体側コネクター、
３５０  ケーブル、４００  超音波画像装置、４１０  表示部、４２０  報知部、
ＵＥ  超音波トランスデューサー素子、ＵＥＰ  測定環境判断用素子、
ＵＥＸ  超音波測定用素子
【図１】
2014188148.tif 000003
【図２】
2014188148.tif 000004
【図３】
2014188148.tif 000005
【図４】
2014188148.tif 000006
【図５】
2014188148.tif 000007
【図６】
2014188148.tif 000008
【図７】
2014188148.tif 000009
【図８】
2014188148.tif 000010
【図９】
2014188148.tif 000011
【図１０】
2014188148.tif 000012
【図１１】
2014188148.tif 000013
【図１２】
2014188148.tif 000014
【図１３】
2014188148.tif 000015
【図１４】
2014188148.tif 000016
【図１５】
2014188148.tif 000017